【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
埋込可能なケースと、
Ｎ個の電極のうちの１つの第１の電極だけが、第１の電流路を有するカソード又はアノードのいずれか一方として制御回路により指定され、Ｎ個の電極のうちの他の複数の第２の電極が、各々が第２の電流路を有するカソード又はアノードのうちの他方として制御回路により指定可能であり、前記埋込可能なケースに１つ又はそれ以上のリード線によって結合された複数のＮ個の電極と、
各々の電流ソースが前記第２の電極のうちの一つに結合された、複数のＸ個の電流ソースと、
前記第１又は第２の電流路内に配置された、複数のＸ個またはＸ＋１個だけのコンデンサと、を備え、
Ｘ＋１がＮより小さい、ことを特徴とする埋込型医療装置。
【請求項２】
前記装置は、前記第１又は第２の電流路の各々が１つのコンデンサを含むように、Ｘ＋１個のコンデンサを備えることを特徴とする、請求項１に記載の装置。
【請求項３】
前記装置は、前記第１又は第２の電流路のうちの１つだけがコンデンサを含まないように、Ｘ個だけのコンデンサを備えることを特徴とする、請求項１に記載の装置。
【請求項４】
前記Ｘ個のコンデンサは、前記第２の電流路内に配置され、従って前記第１の電流路だけがコンデンサを含まないことを特徴とする、請求項３に記載の装置。
【請求項５】
前記コンデンサのうちのＸ−１個が前記第２の電流路内に配置され、前記コンデンサのうちの１つが前記第１の電流路内に配置され、従って前記第２の電流路のうちの１つだけがコンデンサを含まないことを特徴とする、請求項３に記載の装置。
【請求項６】
前記第１の電極はアノードを含み、前記第２の電極はカソードを含むことを特徴とする、請求項１に記載の装置。
【請求項７】
前記第１の電極はカソードを含み、前記第２の電極はアノードを含むことを特徴とする、請求項１に記載の装置。
【請求項８】
前記第１の電極は、前記Ｎ個の電極のうちのいずれかから選択されることを特徴とする、請求項１に記載の装置。
【請求項９】
前記第１の電極は、前記Ｎ個の電極のうちの専用の１つを含むことを特徴とする、請求項１に記載の装置。
【請求項１０】
複数の電極と埋込可能なケースとを有する埋込型医療装置を操作する方法であって、
制御回路により、前記複数の電極の１つの第１の電極だけをカソード又はアノードのいずれか一方として指定して第１の電流路を確立し、同時に、前記複数の電極の複数のＹ個の第２の電極をカソード又はアノードのうちの他方として指定してＹ個の第２の電流路を確立するステップを含み、前記第１の電極と前記複数のＹ個の電極は、１つ又はそれ以上のリード線によって前記埋込可能なケースに結合され、
Ｙ個だけのコンデンサを前記第１又は第２の電流路内に配置して、前記第１又は第２の電流路のうちの１つだけがコンデンサを含まないようにするステップを更に含むことを特徴とする方法。
【請求項１１】
前記Ｙ個のコンデンサは前記第２の電流路内に配置され、従って前記第１の電流路はコンデンサを含まないことを特徴とする、請求項１０に記載の方法。
【請求項１２】
前記コンデンサのうちのＹ−１個が前記第２の電流路内に配置され、前記コンデンサのうちの１つが前記第１の電流路内に配置され、従って前記第２の電流路のうちの１つだけがコンデンサを含まないことを特徴とする、請求項１０に記載の方法。
【請求項１３】
前記第１の電極はアノードを含み、前記第２の電極はカソードを含むことを特徴とする、請求項１０に記載の方法。
【請求項１４】
前記第１の電極はカソードを含み、前記第２の電極はアノードを含むことを特徴とする、請求項１０に記載の方法。
【請求項１５】
前記第１の電極は、前記複数の電極のうちのいずれかから選択されることを特徴とする、請求項１０に記載の方法。
【請求項１６】
前記第１の電極は、前記複数の電極のうちの専用の１つを含むことを特徴とする、請求項１０に記載の方法。
【請求項１７】
前記第２の電極は、前記制御回路により各々を電流ソースに結合することによって指定されることを特徴とする、請求項１０に記載の方法。
【請求項１８】
埋込可能なケースと、
Ｎ個の電極のうちの少なくとも１つの第１の電極が、第１の電流路を有するカソード又はアノードのいずれか一方として制御回路により指定可能であり、Ｎ個の電極のうちの少なくとも１つの第２の電極が、第２の電流路を有するカソード又はアノードのうちの他方として制御回路により指定可能であり、前記埋込可能なケースに１つ又はそれ以上のリード線によって結合された複数のＮ個の電極と、
各々のアノード電流ソースが前記第１の電極のうちの１つに結合された、複数のＪ個のアノード電流ソースと、
各々のカソード電流ソースが前記第２の電極のうちの１つに結合された、複数のＩ個のカソード電流ソースと、
前記第１及び第２の電流路内に配置される、複数のＪ＋Ｉ−１個またはＪ＋Ｉ個だけのコンデンサと、
を備えることを特徴とする埋込型医療装置。
【請求項１９】
ＪはＮよりも小さく、ＩはＮよりも小さいことを特徴とする、請求項１８に記載の装置。
【請求項２０】
前記装置は、前記第１又は第２の電流路の各々がコンデンサを含むように、Ｊ＋Ｉ個のコンデンサを備えることを特徴とする、請求項１８に記載の装置。
【請求項２１】
前記装置は、前記第１又は前記第２の電流路のうちの１つだけがコンデンサを含まないように、Ｊ＋Ｉ−１個だけのコンデンサを備えることを特徴とする、請求項１８に記載の装置。
【請求項２２】
前記少なくとも１つの第１の電極がアノードを含み、前記少なくとも１つの第２の電極がカソードを含むことを特徴とする、請求項１８に記載の装置。
【請求項２３】
前記少なくとも１つの第１の電極は、前記Ｎ個の電極のうちのいずれかから選択されることを特徴とする、請求項１８に記載の装置。
【請求項２４】
前記Ｊ個のアノード電流ソースの各々は、前記第１の電極のうちのいずれかにスイッチマトリクスによって結合され、前記Ｉ個のカソード電流ソースの各々は、前記第２の電極のうちのいずれかにスイッチマトリクスによって結合されることを特徴とする、請求項１８に記載の装置。
【請求項２５】
前記Ｊ個のアノード電流ソースはコンプライアンス電圧に結合され、前記Ｉ個のカソード電流ソースは基準電圧に結合されることを特徴とする、請求項１８に記載の装置。
【請求項２６】
ＪはＩに等しいことを特徴とする、請求項１８に記載の装置。
【請求項２７】
埋込可能なケースと、
Ｎ個の電極のうちの少なくとも１つの第１の電極が、第１の電流路を有するカソード又はアノードのいずれかに一方に制御回路により指定可能であり、Ｎ個の電極のうちの少なくとも１つの第２の電極が、第２の電流路を有するカソード又はアノードの他方に制御回路により指定可能であり、前記埋込可能なケースに１つ又はそれ以上のリード線によって結合された複数のＮ個の電極と、
各々の電流ソースが、前記第１の電極のうちの１つに結合可能なアノード電流ソースとして、又は前記第２の電極のうちの１つに結合可能なカソード電流ソースとしてプログラム可能な複数のＸ個の電流ソースと、
複数のＸ−１個だけのコンデンサと、
を備え、
前記Ｘ−１個のコンデンサは、前記第１及び第２の電流路内に配置され、従って前記第１又は第２の電流路のうちの１つだけがコンデンサを含まない、
ことを特徴とする埋込型医療装置。
【請求項２８】
ＸはＮより小さいことを特徴とする、請求項２７に記載の装置。
【請求項２９】
前記少なくとも１つの第１の電極はアノードを含み、前記少なくとも１つの第２の電極はカソードを含むことを特徴とする、請求項２７に記載の装置。
【請求項３０】
前記少なくとも１つの第１の電極は、前記Ｎ個の電極のうちのいずれかから選択されることを特徴とする、請求項２７に記載の装置。
【請求項３１】
前記Ｘ個の電流ソースの各々は、前記Ｎ個の電極のうちのいずれかにスイッチマトリクスによって結合可能であることを特徴とする、請求項２７に記載の装置。
【請求項３２】
複数の電極と埋込可能なケースとを有する埋込型医療装置を操作する方法であって、
制御回路により、前記複数の電極の少なくとも１つのＰ個の第１の電極をカソード又はアノードのいずれか一方として指定してＰ個の第１の電流路を確立し、同時に、前記複数の電極の複数のＱ個の第２の電極をカソード又はアノードのうちの他方として指定してＱ個の第２の電流路を確立するステップを含み、前記少なくとも１つのＰ個の第１の電極と前記複数のＱ個の電極は、１つ又はそれ以上のリード線によって前記埋込可能なケースに結合され、
Ｐ＋Ｑ−１個だけのコンデンサを前記第１又は第２の電流路内に配置して、前記第１又は第２の電流路のうちの１つだけがコンデンサを含まないようにするステップを更に含むことを特徴とする方法。
【請求項３３】
前記Ｐ個の第１の電極及び前記Ｑ個の第２の電極は、前記複数の電極のうちのいずれかから選択されることを特徴とする、請求項３２に記載の方法。
【請求項３４】
前記Ｐ個の第１の電極の各々は第１の極性の第１の電流ソースに結合され、前記Ｑ個の第２の電極の各々は第１の極性とは逆の第２の極性の第２の電流ソースに結合されることを特徴とする、請求項３２に記載の方法。
【請求項３５】
前記第１の電流ソースはコンプライアンス電圧に結合され、前記第２の電流ソースは基準電圧に結合されることを特徴とする、請求項３４に記載の方法。